(57)【要約】【課題】  オイルへの気泡の混入を防止することができる電磁弁特性試験装置を提供する。【解決手段】  オイル３を貯留したタンク１１の底部中央に吐出口１３を設け、吐出口１３より供給路１４へ通流するオイル３を電磁弁２に供給する。タンク１１内に供給パイプ２１を設け、供給パイプ２１を、タンク１１のオイル３内に挿入する。空気供給源からの加圧空気２３をレギュレータ２２で一定圧に制御し、供給パイプ２１を介してタンク１１内へ供給する。供給パイプ２１の外周部に、供給パイプ２１を包囲する円筒状の仕切筒４１を設け、仕切筒４１の上端４２を、オイル３の液面４３より上方へ突出し、かつ仕切筒４１の下端４４を供給パイプ２１下端の噴出口３１より下方へ延出する。【選択図】        図１
2005265645.tif 000002
【特許請求の範囲】
【請求項１】
タンクに貯留されたオイル内にパイプが挿入され、該パイプの噴出口より噴出される空気の供給によって、当該タンクから試験対象となる電磁弁へ供給されるオイルの圧力を一定に保持する電磁弁特性試験装置であって、
前記パイプの外周部に当該パイプを包囲する筒状の仕切を設け、該仕切の上端を前記オイルの液面より上方へ突出するとともに、当該仕切の下端を前記噴出口より下方へ延出したことを特徴とする電磁弁特性試験装置。
【請求項２】
前記仕切の下端部に、当該仕切下端から下方へ向けた流れを阻止するとともに、この流れを上方へ向けて方向転換するガイドを設けたことを特徴とする請求項１記載の電磁弁特性試験装置。
【発明の詳細な説明】
【技術分野】
【０００１】
本発明は、電磁弁の特性試験を行う際に用いられる電磁弁特性試験装置に関する。
【背景技術】
【０００２】
従来、油圧電磁弁の特性を検査する際には、オイルを一定の圧力で供給する装置が必要となり、その装置としては、図３に示すような圧送装置１０１が知られている（例えば、特許文献１参照。）。
【０００３】
この圧送装置１０１は、オイル１１１を貯留するタンク１１２を備えており、レギュレータ１１３からの加圧空気を噴出する噴出パイプ１１４が油中に挿入されている。これにより、噴出パイプ１１４の噴出口１１５高さでの圧力を一定に保持することで、水頭圧による変化をキャンセルして、一定圧のオイル１１１を供給できるように構成されている。
【特許文献１】特開平９−２０２３９７号公報
【発明の開示】
【発明が解決しようとする課題】
【０００４】
しかしながら、このような圧送装置にあっては、加圧空気が油中に噴出されるため、オイル１１１に気泡が混入してしまう。
【０００５】
この気泡を含有したオイル１１１を用いて油圧電磁弁の特性試験を行うと、気泡の体積変化などによって、本来の特性と異なる結果が得られる恐れがあった。
【０００６】
本発明は、このような従来の課題に鑑みてなされたものであり、オイルへの気泡の混入を防止することができる電磁弁特性試験装置を提供することを目的とするものである。
【課題を解決するための手段】
【０００７】
前記課題を解決するために本発明の請求項１の電磁弁特性試験装置にあっては、タンクに貯留されたオイル内にパイプが挿入され、該パイプの噴出口より噴出される空気の供給によって、当該タンクから試験対象となる電磁弁へ供給されるオイルの圧力を一定に保持する電磁弁特性試験装置であって、前記パイプの外周部に当該パイプを包囲する筒状の仕切を設け、該仕切の上端を前記オイルの液面より上方へ突出するとともに、当該仕切の下端を前記噴出口より下方へ延出した。
【０００８】
すなわち、供給圧を一定に保つ為に油中に挿入されたパイプより空気が供給された際には、前記パイプの噴出口から噴出された空気が気泡となってオイル内に混入される。
【０００９】
このとき、前記パイプの外周部には、当該パイプを包囲する筒状の仕切が設けられており、この仕切の下端は、前記噴出口より下方に達している。このため、前記パイプから噴出した気泡は、前記パイプと前記仕切との間に形成された通流経路を通って上昇する。
【００１０】
そして、前記仕切は、その上端がオイルの液面より上方へ突出している。このため、前記通流経路を上昇する気泡は、前記パイプと仕切間の通流経路を逸脱すること無く、液面上方へ放出される。
【００１１】
また、請求項２の電磁弁特性試験装置においては、前記仕切の下端部に、当該仕切下端から下方へ向けた流れを阻止するとともに、この流れを上方へ向けて方向転換するガイドを設けた。
【００１２】
すなわち、パイプの噴出口から噴出する気泡の勢いが強い場合には、気泡が仕切の下端より流出する恐れがある。
【００１３】
しかし、前記仕切の下端部には、当該仕切下端から下方へ向けた流れを阻止するとともに、この流れを上方へ向けて方向転換するガイドが設けられている。このため、前記気泡が前記仕切の下端より流出した場合には、この気泡は、前記ガイドによって上方へ向けて折り返され、上昇方向へ方向転換される。
【発明の効果】
【００１４】
以上説明したように本発明の請求項１の電磁弁特性試験装置にあっては、油中に挿入されたパイプより噴出した空気が気泡となってオイル内に混入した場合であっても、この気泡を、パイプと該パイプの外周部に設けられた仕切との間に形成された通流経路を介して上昇させ、その上方の液面から放出させることができる。
【００１５】
これにより、試験対象となる電磁弁に供給されるオイルへの気泡の混入を防止することができる。よって、気泡混入に起因する影響を排除した特性試験を行うことができる。
【００１６】
また、請求項２の電磁弁特性試験装置においては、パイプから噴出する気泡の勢いが強い場合であっても、この気泡を、仕切下端部のガイドによって上方へ向けて折り返し、上昇方向へ方向転換することができる。これにより、オイル内に混入した気泡を上昇させ、その上方の液面から放出させることができる。
【００１７】
したがって、パイプから噴出した気泡が仕切下端より流出し、オイル内に滞留する恐れのある場合と比較して、気泡混入による特性試験への影響を防止することができる。
【発明を実施するための最良の形態】
【００１８】
（第１の実施の形態）
【００１９】
以下、本発明の第１の実施の形態を図に従って説明する。図１は、本実施の形態にかかる電磁弁特性試験装置１を示す図であり、該電磁弁特性試験装置１は、特性試験を行う電磁弁２に一定圧のオイル３を供給する装置である。
【００２０】
すなわち、この電磁弁特性試験装置１は、オイル３を貯留するタンク１１を備えてなり、油面より上方に形成された上部空間１２は、密閉されている。また、このタンク１１の底部中央には、吐出口１３が設けられており、この吐出口１３より供給路１４へ通流するオイル３は、ブロック１５に設けられた試験対象となる電磁弁２に供給されるように構成されている。
【００２１】
前記タンク１１内には、供給パイプ２１が設けられており、該供給パイプ２１は、前記タンク１１に貯留されたオイル３内に挿入されている。この供給パイプ２１は、レギュレータ２２を介して図外の空気供給源に接続されており、該空気供給源からの加圧空気２３を前記レギュレータ２２で一定圧に制御し、前記供給パイプ２１を介してタンク１１内へ供給できるように構成されている。
【００２２】
これにより、前記供給パイプ２１の噴出口３１高さでの圧力が低下した際には、タンク１１内へ加圧空気２３を供給することで、前記噴出口３１高さでの圧力が一定となるように構成されており、オイル３の減少に伴った水頭圧の変化をキャンセルして、一定圧のオイル３を電磁弁２に供給できるように構成されている。
【００２３】
前記供給パイプ２１の外周部には、当該供給パイプ２１を包囲する円筒状の仕切筒４１が設けられている。該仕切筒４１は、その上端４２が前記オイル３の液面４３より上方へ突出するとともに、当該仕切筒４１の下端４４が前記供給パイプ２１下端の噴出口３１より下方へ延出する長さ寸法に設定されている。これにより、前記供給パイプ２１と前記仕切筒４１との間には、前記供給パイプ２１の噴出口３１より供給された加圧空気２３による気泡４５，・・・が通流する通流経路４６が前記供給パイプ２１の外周部に形成されている。
【００２４】
以上の構成にかかる本実施の形態において、電磁弁２への供給圧を一定に保つ為に油中に挿入された供給パイプ２１より圧縮空気２３が供給された際には、前記供給パイプ２１の噴出口３１から噴出された圧縮空気２３が気泡４５，・・・となってオイル３内に混入される。
【００２５】
このとき、前記供給パイプ２１の外周部には、当該供給パイプ２１を包囲する仕切筒４１が設けられており、この仕切筒４１の下端４４は、前記供給パイプ２１の噴出口３１より下方に達している。このため、前記供給パイプ２１から噴出した気泡４５，・・・は、前記供給パイプ２１と前記仕切筒４１との間に形成された通流経路４６を通って上昇する。
【００２６】
そして、この仕切筒４１は、その上端４２がオイル３の液面４３より上方へ突出している。このため、前記通流経路４６を上昇する気泡４５，・・・は、前記供給パイプ２１と前記仕切筒４１間の通流経路４６を逸脱すること無く、液面４３より上方の上部空間１２へ放出される。
【００２７】
このように、油中に挿入された供給パイプ２１より噴出した圧縮空気２３が気泡４５，・・・となってオイル３内に混入した場合であっても、この気泡４５，・・・を、供給パイプ２１と該供給パイプ２１の外周部に設けられた仕切筒４１との間に形成された通流経路４６を介して上昇させ、その上方の液面４３から放出させることができる。
【００２８】
これにより、試験対象となる電磁弁２に供給されるオイル３への気泡４５，・・・の混入を防止することができる。よって、気泡混入に起因する影響を排除した特性試験を行うことができる。
【００２９】
（第２の実施の形態）
【００３０】
図２は、第２の実施の形態を示す図であり、第１の実施の形態と異なる部分に付いてのみ説明する。
【００３１】
すなわち、前記仕切筒４１の下端部には、気泡流出防止ガイド５１が設けられている。該気泡流出防止ガイド５１は、前記仕切筒４１の下端開口部５２に対向する円板状の底面部５３と、該底面部５３の周縁より起立した円筒状の側壁部５４とによって容器状に形成されており、前記仕切筒５４下端と前記底面部５３との間には、間隙が確保されている。これにより、前記供給パイプ２１より噴出した気泡４５，・・・が前記仕切筒４１の下端開口部５２より流出しようとする下方へ向けた流れ５５を前記底面部５３によって阻止するとともに、この流れ５５を前記側壁部５４によって上方へ向けて方向転換できるように構成されている。
【００３２】
以上の構成にかかる本実施の形態において、前記供給パイプ２１の噴出口３１から噴出する気泡４５，・・・の勢いが強い場合には、気泡４５，・・・が仕切筒４１の下端より流出する恐れがある。
【００３３】
しかし、前記仕切筒４１の下端部には、当該仕切筒４１の下端開口部５２から下方へ向けた流れ５５を阻止するとともに、この流れ５５を上方へ向けて方向転換する気泡流出防止ガイド５１が設けられている。このため、前記気泡４５，・・・が前記仕切筒４１の下端開口部５２より流出した場合には、この気泡４５，・・・は、前記気泡流出防止ガイド５１によって上方へ向けて折り返され、上昇方向へ方向転換される。
【００３４】
このように、供給パイプ２１から噴出する気泡４５，・・・の勢いが強い場合であっても、この気泡４５，・・・を、仕切筒４１下端部に設けられた気泡流出防止ガイド５１によって上方へ向けて折り返し、上昇方向へ方向転換することができる。これにより、オイル３内に混入した気泡４５，・・・を上昇させ、その上方の液面４３から放出することができる。
【００３５】
したがって、供給パイプ２１から噴出した気泡４５，・・・が仕切筒４１下端開口部５２から流出し、オイル３内に滞留する恐れのある場合と比較して、気泡４５，・・・混入による特性試験への影響を防止することができる。
【００３６】
そして、前記気泡４５，・・・を、タンク１１底部の吐出口１３から遠ざける効果も合わせて得ることができる。
【図面の簡単な説明】
【００３７】
【図１】本発明の第１の実施の形態を示す模式図である。
【図２】本発明の第２の実施の形態を示す模式図である。
【図３】従来の圧送装置を示す模式図である。
【符号の説明】
【００３８】
１    電磁弁特性試験装置
２    電磁弁
３    オイル
１１    タンク
２１    供給パイプ
３１    噴出口
４１    仕切筒
４３    液面
４５    気泡
５１    気泡流出防止ガイド
【図１】
2005265645.tif 000003
【図２】
2005265645.tif 000004
【図３】
2005265645.tif 000005